(57)【特許請求の範囲】
【請求項１】
装置内に挿入された小径または大径のディスクを所定位置にセンタリングする位置決め機構を有するディスクプレーヤにおいて、
小径ディスク用案内溝および大径ディスク用案内溝を有するディスク案内板と、ディスクを前記ディスク案内板との間に挟持して搬送する第１の駆動ローラと、前記ディスク案内板に対して昇降可能な第２の駆動ローラと、この第２の駆動ローラを昇降動作する一対のアームとを備え、
前記第１の駆動ローラを前記第２の駆動ローラに対してディスク搬送方向の手前側に配設すると共に、前記両アームを前記大径ディスク用案内溝から前記小径ディスク用案内溝に向かって先窄まりな傾斜面としたことを特徴とするディスクプレーヤ。
【請求項２】
請求項１の記載において、前記両アームの一端部を前記第１のローラの回転軸を中心として回転可能に支持すると共に、両アームの他端部に前記第２の駆動ローラを軸支したことを特徴とするディスクプレーヤ。
【請求項３】
請求項１または２の記載において、前記第１の駆動ローラと前記第２の駆動ローラが共通の駆動源で同期回転するように構成したことを特徴とするディスクプレーヤ。
【発明の詳細な説明】
【０００１】
【発明の属する技術分野】
本発明は、直径寸法が異なる大小２種類のディスクのいずれか一方を挿入した場合に、挿入されたディスクを所定位置にセンタリングする位置決め機構を備えたディスクプレーヤに関する。
【０００２】
【従来の技術】
一般的にＣＤプレーヤには、直径１２ｃｍと直径８ｃｍの大小２種類のディスクが使用されているが、１台のプレーヤでこれら２種類のディスクを共に使用できるようにするためには、挿入されたディスクを所定のクランプ位置にセンタリングした後にチャッキングしてプレイ動作させる必要がある。その際、直径１２ｃｍの大径ディスクと直径８ｃｍの小径ディスクとではクランプ中心からディスク外周縁までの距離が相違するため、従来より、ディスクの外周縁を複数の規制ピンに当接させてセンタリングするという位置決め機構が採用されている。
【０００３】
すなわち、従来より知られているこの種の位置決め機構は、大径ディスク用の規制ピンと小径ディスク用の規制ピンとを半径が異なる同心円上に配置し、挿入されたディスクの大きさに応じて小径ディスク用の規制ピンをディスク挿入経路内に選択的に出没させるように構成されている。具体的には、挿入されたディスクが小径ディスクの場合、小径ディスク用の規制ピンをロックしてディスク挿入経路内に突出させることにより、この規制ピンに小径ディスクの外周縁を当接させてクランプ位置にセンタリングし、挿入されたディスクが大径ディスクの場合、小径ディスク用の規制ピンをロック解除してディスク挿入経路から退避させることにより、大径ディスク用の規制ピンに大径ディスクの外周縁を当接させてクランプ位置にセンタリングするようになっている。
【０００４】
【発明が解決しようとする課題】
しかしながら、前述したような位置決め機構を有する従来のディスクプレーヤでは、小径ディスク用の規制ピンをロックしたりロック解除するのに複雑なリンク機構が必要となり、このことがディスクプレーヤ全体のメカニズムを複雑化し、コストの低減化を妨げる大きな要因となっていた。また、装置の前面にはディスクを挿入／排出するための挿入口が開設されており、この挿入口の大きさは大径ディスクを基準にして設定されている関係上、小径ディスクを挿入口中央から片寄った位置に挿入することが懸念される。このため、片寄った位置に挿入された小径ディスクをディスク挿入経路の中央に導く機構が必要となり、この点からもディスクプレーヤ全体のメカニズムを複雑化する要因となっていた。
【０００５】
本発明は、このような従来技術の実情に鑑みてなされたもので、その目的は、直径寸法が異なる大小２種類のディスクを記録および／または再生可能なディスクプレーヤにおいて、装置内に挿入されたディスクを所定位置にセンタリングする位置決め機構を簡略化し、構造が簡単で低コストのディスクプレーヤを提供することにある。
【０００６】
【課題を解決するための手段】
本発明は、小径および大径ディスク用案内溝を有するディスク案内板と協働してディスクを搬送可能な一対の駆動ローラを設け、ディスク搬送方向の奥側に配設された駆動ローラを一対のアームによって昇降動作させると共に、これら両アームに大径ディスク用案内溝から小径ディスク用案内溝に向かって先窄まりな傾斜面を形成することとする。このように構成すると、複雑なリンク機構を要することなく、アームの制御だけで大小２種類のディスクを所定位置にセンタリングすることができ、しかも、片寄った位置に挿入された小径ディスクをアームの傾斜面によってディスク挿入経路の中央に導くことができる。
【０００７】
【発明の実施の形態】
本発明のディスクプレーヤでは、装置内に挿入された小径または大径のディスクを所定位置にセンタリングする位置決め機構を有するディスクプレーヤにおいて、小径ディスク用案内溝および大径ディスク用案内溝を有するディスク案内板と、ディスクを前記ディスク案内板との間に挟持して搬送する第１の駆動ローラと、前記ディスク案内板に対して昇降可能な第２の駆動ローラと、この第２の駆動ローラを昇降動作する一対のアームとを備え、前記第１の駆動ローラを前記第２の駆動ローラに対してディスク搬送方向の手前側に配設すると共に、前記両アームを前記大径ディスク用案内溝から前記小径ディスク用案内溝に向かって先窄まりな傾斜面とした。
【０００８】
このように構成されたディスクプレーヤでは、小径ディスクを挿入口から装置内に挿入したとき、両アームは第２の駆動ローラをディスク案内板に圧接する方向へ動作し、小径ディスクは第１の駆動ローラと第２の駆動ローラからの回転力を受けてディスク案内板の小径ディスク用案内溝に沿って所定位置まで搬送される。その際、小径ディスクが挿入口中央から片寄った位置に挿入されたとしても、小径ディスクの外周縁がいずれか一方のアームの傾斜面に当接することにより、搬送力の分力が小径ディスクをディスク挿入経路の中央に導く力として作用し、小径ディスクは自動的に小径ディスク用案内溝内に係合する。一方、大径ディスクを挿入口から装置内に挿入したとき、両アームは第２の駆動ローラをディスク案内板から離間する方向へ動作し、大径ディスクは第１の駆動ローラのみからの回転力を受けてディスク案内板の大径ディスク用案内溝に沿って所定位置まで搬送される。したがって、従来のような複雑なリンク機構を要することなく、アームの制御だけで大小２種類のディスク所定位置にセンタリングすることができると共に、片寄った位置に挿入された小径ディスクをディスク挿入経路の中央に導くことができる。
【０００９】
上記の構成において、両アームの一端部を第１の駆動ローラの回転軸を中心として回転可能に支持すると共に、両アームの他端部に第２の駆動ローラを軸支することが好ましく、このような回転タイプのアーム構造を採用すると、第２の駆動ローラの昇降動作がアームの回転制御だけで済むため、位置決め機構を著しく簡略化することができる。  また、上記の構成において、第１の駆動ローラと第２の駆動ローラは必ずしも同期回転しなくてもよいが、位置決め機構を簡略化するためには、これら第１および第２の駆動ローラを共通の駆動源で同期回転させることが好ましい。
【００１０】
【実施例】
実施例について図面を参照して説明すると、図１は実施例に係る車載用ディスクプレーヤに備えられるガイドユニットの斜視図、図２は図１のＡ−Ａ線に沿う断面図、図３は該ガイドユニットの平面図、図４は小径ディスク挿入時の斜視図、図５は小径ディスク挿入時の平面図、図６は大径ディスク挿入時の斜視図、図７は大径ディスク挿入時の平面図、図８はローラブラケットの動作を正面から見た説明図、図９はローラブラケットの動作を側面から見た説明図である。なお、本実施例に係るディスクプレーヤは直径１２ｃｍと直径８ｃｍの大小２種類のディスクを共に使用可能であり、以下、直径１２ｃｍのディスクを大径ディスクＬＤ、直径８ｃｍのディスクを小径ディスクＳＤと称する。
【００１１】
図１〜図３に示すように、ディスクプレーヤの外部筐体をなす図示せぬ枠体の内部には、ディスク案内板１とローラブラケット２とで構成されるガイドユニットが配設されており、このガイドユニットは枠体の前面に開設された挿入口３と対向している。ディスク案内板１は合成樹脂で成形されており、枠体の内部に配設された図示せぬシャーシ等に固定されている。ディスク案内板１の表面には、下段に小径ディスクＳＤの外径とほぼ同じ溝幅の第１案内溝４が、上段に大径ディスクＬＤの外径とほぼ同じ溝幅の第２案内溝５がそれぞれ形成されている。第１案内溝４は、ディスク案内板１の手前側（挿入口３側）から途中まで延びる平行部４ａと、この平行部４ａに連続する半円状の円弧部４ｂとで構成されており、この円弧部４ｂはディスク案内板１の奥側のクランプ位置に形成されている。第２案内溝５は、ディスク案内板１の手前側から途中まで延びる平行部５ａと、この平行部５ａに連続する半円状の円弧部５ｂとで構成されており、この円弧部５ｂもディスク案内板１の奥側のクランプ位置に形成されている。すなわち、これら第１および第２案内溝４，５の円弧部４ｂ，５ｂはクランプ位置で同心円上に配置されており、後述するように、小径ディスクＳＤが内側の円弧部４ｂによってクランプ中心にセンタリングされ、大径ディスクＬＤが外側の円弧部５ｂによってクランプ中心にセンタリングされるようになっている。さらに、第２案内溝５の両端の手前側から第１案内溝４の平行部４ａの途中にかけてガイド斜面５ｃが形成されており、ディスク案内板１の手前側において第１案内溝４の底面と第２案内溝５の底面はガイド斜面５ｃによって繋がれている。また、ディスク案内板１の奥側から手前側の途中にかけて切欠き６が形成されており、この切欠き６によってディスクをチャッキングするターンテーブルとクランパや光ピックアップ（いずれも図示せず）がディスク案内板１に緩衝しないようになっている。
【００１２】
ローラブラケット２は金属板材からなり、このローラブラケット２はディスク案内板１の手前側に設けられた支軸７に回動可能に支持されている。図２と図３から明らかなように、この支軸７には第１の駆動ローラ８が設けられており、この第１の駆動ローラ８は図示せぬモータを駆動源として正逆両方向へ回転できるようになっている。ローラブラケット２の手前側には平板状の橋絡部２ａが形成されており、この橋絡部２ａの左右両側から一対のアーム２ｂが後方へ延出されている。両アーム２ｂは外側の第２案内溝５から内側の第１案内溝４に向かって先窄まりな傾斜面となっており、これらアーム２ｂの先端部には支軸１０がディスク案内板１の側方から突出する位置まで設けられ、その支軸１０に第２の駆動ローラ９が設けられている。また、支軸１０は図示せぬスライドカム等によって上下動させられるようになっており、この上下動によってローラブラケット２が支軸７を中心に回転し、第２の駆動ローラ９がディスク案内板１に対して昇降動作する。この第２の駆動ローラ９も第１の駆動ローラ８と共通のモータを駆動源として正逆両方向へ回転できるようになっており、両駆動ローラ８，９は図示せぬタイミングベルト等を用いて同期回転するようになっている。
【００１３】
次に、上記の如く構成された車載用ディスクプレーヤの動作を説明すると、このディスクプレーヤは、挿入口３から枠体内に挿入されたディスクの大きさを図示せぬスイッチやフォトセンサ等の検出手段で識別し、その検出結果に応じてローラブラケット２を回転制御するようになっている。
【００１４】
まず、小径ディスクＳＤを挿入した場合について説明すると、この場合、ローラブラケット２は検出手段の識別に基づいて図８（ａ）と図９（ａ）に示す位置に回転し、両アーム２ｂは第２の駆動ローラ９をディスク案内板１に圧着する方向へ下降動作する。したがって、挿入口３からディスク案内板１上に挿入された小径ディスクＳＤは、第１案内溝４の平行部４ａによって幅方向の動きが規制されながら、第１の駆動ローラ８と第２の駆動ローラ９からの回転力を順次受けて第１案内溝４の円弧部４ｂまで搬送され、図４と図５に示すように円弧部４ｂでクランプ中心にセンタリングされる。
【００１５】
その際、挿入口３の大きさが大径ディスクＬＤの外径寸法を基準にして設定されているため、小径ディスクＳＤが挿入口３から第１案内溝４の中心へと挿入されず、挿入口３の中央に対して片寄った位置から挿入されることがある。例えば図５の２点鎖線で示すように、小径ディスクＳＤが挿入口３の一端側に片寄った位置から挿入された場合、この小径ディスクＳＤは第１の駆動ローラ８からの回転力を受けて若干量だけ搬送された後、その外周縁が第２案内溝５内へ下降している一方のアーム２ｂに当接する。ここで、アーム２ｂは第２案内溝５から第１案内溝４に向かって先窄まりな傾斜面となっているため、小径ディスクＳＤの外周縁がアーム２ｂに当接することで、搬送力の分力が小径ディスクＳＤを第１案内溝４の中央に導く力として作用し、最終的に小径ディスクＳＤは第１案内溝４に落ち込んで円弧部４ｂまで搬送される。小径ディスクＳＤが挿入口３の他端側に片寄った位置から挿入された場合、小径ディスクＳＤの外周縁が他方のアーム２ｂに当接する点が異なるだけで、同様の動作が行われる。
【００１６】
そして、小径ディスクＳＤがクランプ中心にセンタリングされると、この小径ディスクＳＤが図示せぬターンテーブルとクランパとの間にチャッキングされると共に、ローラブラケット２が上方向へ回転して第２の駆動ローラ９を小径ディスクＳＤから離間させる。この状態でターンテーブルによって小径ディスクＳＤを回転駆動すると共に、図示せぬ光ピックアップを小径ディスクＳＤの半径方向へ移送することにより再生動作が行われる。なお、小径ディスクＳＤを排出する場合は、ローラブラケット２を下方向へ回転して第２の駆動ローラ９を小径ディスクＳＤに圧着させた後、第１の駆動ローラ８と第２の駆動ローラ９を挿入時とは逆方向へ回転すれば、小径ディスクＳＤを挿入口３から枠体の外部に取り出すことができる。
【００１７】
次に、大径ディスクＬＤを挿入した場合について説明すると、この場合、ローラブラケット２は検出手段の識別に基づいて図８（ｂ）と図９（ｂ）に示す位置に回転し、両アーム２ｂは第２の駆動ローラ９をディスク案内板１から離間する方向へ上昇動作する。したがって、挿入口３からディスク案内板１上に挿入された大径ディスクＬＤは、第１案内溝５の平行部５ａによって幅方向の動きが規制されながら、第１の駆動ローラ８からの回転力を受けて第１案内溝５の円弧部５ｂまで搬送され、図６と図７に示すように円弧部５ｂでクランプ中心にセンタリングされる。かかるクランプ位置で大径ディスクＬＤは第１の駆動ローラ８に対して若干前進し、第１の駆動ローラ８の大径ディスクＬＤに対する圧着力は解除されているため、大径ディスクＬＤをターンテーブルとクランパとの間にチャッキングすれば、前述した小径ディスクＳＤの場合と同様にして大径ディスクＬＤの再生動作を行うことができる。
【００１８】
なお、大径ディスクＬＤを排出する場合は、ローラブラケット２を下方向へ回転して第２の駆動ローラ９を大径ディスクＬＤに圧着させ、この第２の駆動ローラ９を挿入時とは逆方向へ回転して大径ディスクＬＤの一部を第１の駆動ローラ８とディスク案内板１間に挟圧させた後、ローラブラケット２を上方向へ回転してアーム２ｂと第２の駆動ローラ９を上昇動作させた状態で第１の駆動ローラ８を挿入時とは逆方向へ回転すれば、大径ディスクＬＤを挿入口３から枠体の外部に取り出すことができる。
【００１９】
このように構成された車載用ディスクプレーヤでは、一対のアーム２ｂを有するローラブラケット２の制御だけで、小径ディスクＳＤと大径ディスクＬＤをそれぞれ所定のクランプ位置にセンタリングすることができ、しかも、小径ディスクＳＤが挿入口３の中央に対して片寄った位置に挿入された場合でも、この小径ディスクをアーム２ｂの傾斜面によってディスク挿入経路の中央に導くことができる。したがって、大小２種類のディスクを所定位置にセンタリングする位置決め機構として、従来のような複雑なリンク機構が不要となり、その分、ディスクプレーヤ全体のメカニズムを簡略化でき、コストの低減化を図ることができる。また、ローラブラケット２と第１の駆動ローラ８を支軸７に回転可能に支持すると共に、このローラブラケット２に形成した両アーム２ｂの先端部に第２の駆動ローラ９を軸支したため、第２の駆動ローラ９をディスク案内板１に対して接離させる昇降動作がローラブラケット２の回転制御だけで済み、位置決め機構を著しく簡略化することができる。さらに、第１の駆動ローラ８と第２の駆動ローラ９を共通のモータを駆動源として同期回転させるように構成したため、この点からも位置決め機構を著しく簡略化することができる。
【００２０】
なお、上記実施例では、ディスク案内板１の上面にローラブラケット２を配設した場合について説明したが、これとは逆に、ディスク案内板１の下面にローラブラケット２を配設することも可能である。
【００２１】
また、上記実施例では、奥側の第２の駆動ローラ９のみをディスク案内板１に対して昇降可能とした場合について説明したが、手前側の第１の駆動ローラ８についてもディスク案内板１に対して昇降可能としてもよい。この場合、第１の駆動ローラ８を昇降動作させる機構を追加する分だけ構造が若干複雑になるが、第１の駆動ローラ８の昇降動作によって大径ディスクＬＤの挿入／排出を共に行うことができるため、上記実施例に比べるとローラブラケット２の回転制御は簡単になる。当然、ディスク案内板１をローラブラケット２に対して上下動させてもよく、この場合、ターンテーブルと光ピックアップを固定させることができ、その移動機構を設けた場合に比べて構造を簡略化できる。
【００２２】
さらに、上記実施例では、ローラブラケット２と第１の駆動ローラ８を共通の支軸７に軸支した場合について説明したが、これらローラブラケット２と第１の駆動ローラ８を別々の支軸に軸支することも可能である。
【００２３】
【発明の効果】
本発明は、以上説明したような形態で実施され、以下に記載されるような効果を奏する。
【００２４】
小径および大径ディスク用案内溝を有するディスク案内板と協働してディスクを搬送可能な一対の駆動ローラを設け、ディスク搬送方向の奥側に配設された駆動ローラを一対のアームによって昇降動作させると共に、これら両アームに大径ディスク用案内溝から小径ディスク用案内溝に向かって先窄まりな傾斜面を形成したので、アームの制御だけで大小２種類のディスクを所定位置にセンタリングすることができると共に、片寄った位置に挿入された小径ディスクをアームの傾斜面によってディスク挿入経路の中央に導くことができ、それ故、構造が簡単で低コストのディスクプレーヤを実現することができる。
【００２５】
本発明は、
【図面の簡単な説明】
【図１】実施例に係る車載用ディスクプレーヤに備えられるガイドユニットの斜視図である。
【図２】図１のＡ−Ａ線に沿う断面図である。
【図３】該ガイドユニットの平面図である。
【図４】小径ディスク挿入時の斜視図である。
【図５】小径ディスク挿入時の平面図である。
【図６】大径ディスク挿入時の斜視図である。
【図７】大径ディスク挿入時の平面図である。
【図８】ローラブラケットの動作を正面から見た説明図である。
【図９】ローラブラケットの動作を側面から見た説明図である。
【符号の説明】
１  ディスク案内板
２  ローラブラケット
２ａ  橋絡部
２ｂ  アーム
３  挿入口
４  第１案内溝
４ａ  平行部
４ｂ  円弧部
５  第２案内溝
５ａ  平行部
５ｂ  円弧部
５ｃ  ガイド斜面
６  切欠き
７  支軸
８  第１の駆動ローラ
９  第２の駆動ローラ
ＳＤ  小径ディスク
ＬＤ  大径ディスク
【図１】
0003912991.tif 000002
【図２】
0003912991.tif 000003
【図３】
0003912991.tif 000004
【図４】
0003912991.tif 000005
【図５】
0003912991.tif 000006
【図６】
0003912991.tif 000007
【図７】
0003912991.tif 000008
【図８】
0003912991.tif 000009
【図９】
0003912991.tif 000010